(57)【要約】【課題】貨幣処理装置において、当該貨幣処理装置を操作する者に対し、その者に伝達すべき情報を適切に伝達可能にする。【解決手段】貨幣処理装置１は、記憶部３１０に情報連携データベース３１１を記憶しており、この情報連携データベース３１１には、伝達する情報内容と、情報内容を伝達すべき対象者を特定する対象者条件とを含む伝達情報データが登録される。制御部３００は、情報連携データベース３１１の中から貨幣処理装置１の操作者が対象者条件を満たす伝達情報データを特定し、この伝達情報データに含まれた情報内容を、操作者に対する出力情報として決定する。【選択図】図３
2018073075.tif 000002
【特許請求の範囲】
【請求項１】
貨幣を処理する貨幣処理装置であって、
伝達する情報内容と、当該情報内容を伝達すべき対象者を特定する対象者条件とを含む伝達情報データが登録される情報連携データベースを、記憶する記憶部と、
前記情報連携データベースの中から、当該貨幣処理装置の操作者が対象者条件を満たす伝達情報データを特定し、この伝達情報データに含まれた情報内容を、前記操作者に対する出力情報として決定する制御部とを備えた
ことを特徴とする貨幣処理装置。
【請求項２】
請求項１記載の貨幣処理装置において、
前記情報連携データベースに登録された伝達情報データの少なくとも一部は、対象者条件に、対象者の属性を特定しており、
前記制御部は、前記情報連携データベースの中に、当該貨幣処理装置の操作者が対象者条件に特定された属性を有する、伝達情報データがあるとき、この伝達情報データに含まれた情報内容を、前記出力情報として決定する
ことを特徴とする貨幣処理装置。
【請求項３】
請求項１記載の貨幣処理装置において、
前記情報連携データベースに登録された伝達情報データの少なくとも一部は、対象者条件に、当該貨幣処理装置において実行する処理を特定しており、
前記制御部は、前記情報連携データベースの中に、当該貨幣処理装置の操作者が対象者条件に特定された処理を実行する、伝達情報データがあるとき、この伝達情報データに含まれた情報内容を、前記出力情報として決定する
ことを特徴とする貨幣処理装置。
【請求項４】
請求項３記載の貨幣処理装置において、
対象者条件に特定された前記処理は、入金処理または出金処理のいずれかを含む
ことを特徴とする貨幣処理装置。
【請求項５】
請求項１〜４のうちいずれか１項記載の貨幣処理装置において、
貨幣処理に関する情報を表示する画面を有する表示部を備え、
前記制御部は、決定した前記出力情報を、前記表示部の画面に表示する
ことを特徴とする貨幣処理装置。
【請求項６】
請求項５記載の貨幣処理装置において、
前記制御部は、前記出力情報自体を表示する第１表示態様、または、前記出力情報の存在を示すアイコンを表示し、当該アイコンに係る操作を受けて前記出力情報自体を表示する第２表示態様のいずれかを選択し、選択した表示態様に従って前記出力情報の表示を行う
ことを特徴とする貨幣処理装置。
【請求項７】
請求項６記載の貨幣処理装置において、
前記情報連携データベースに登録された伝達情報データの少なくとも一部は、情報内容の重要度を示す重要度データを含み、
前記制御部は、特定した伝達情報データが前記重要度データを含むとき、前記重要度データが示す重要度に基づいて、前記第１表示態様または前記第２表示態様を選択する
ことを特徴とする貨幣処理装置。
【請求項８】
請求項６記載の貨幣処理装置において、
前記情報連携データベースに登録された伝達情報データの少なくとも一部は、対象者条件に、情報内容との関連度に応じた対象者の区分が規定されており、
前記制御部は、特定した伝達情報データの対象者条件に対象者の区分が規定されているとき、当該貨幣処理装置の操作者が属する区分に基づいて、前記第１表示態様または前記第２表示態様を選択する
ことを特徴とする貨幣処理装置。
【請求項９】
請求項５記載の貨幣処理装置において、
前記情報連携データベースに登録された伝達情報データの少なくとも一部は、表示タイミングを所定処理の実行時とする条件データを含み、
前記制御部は、特定した伝達情報データが前記条件データを含むとき、前記操作者が前記所定処理を実行するときに、前記出力情報を画面に表示する
ことを特徴とする貨幣処理装置。
【請求項１０】
請求項１〜４のうちいずれか１項記載の貨幣処理装置において、
貨幣処理に関する情報を表示する画面を有する表示部と、
操作者が当該貨幣処理装置の操作を行うための操作部とを備え、
前記制御部は、伝達情報データを入力する情報登録画面を前記表示部に表示し、前記操作部を介した操作によって入力された伝達情報データを、前記情報連携データベースに登録する
ことを特徴とする貨幣処理装置。
【請求項１１】
請求項１０記載の貨幣処理装置において、
前記制御部は、操作者が所定処理を実行するとき、前記情報登録画面へのショートカットボタンを前記表示部の画面に表示する
ことを特徴とする貨幣処理装置。
【請求項１２】
請求項１１記載の貨幣処理装置において、
前記所定処理は、損券の入金処理を含む
ことを特徴とする貨幣処理装置。
【請求項１３】
請求項１０記載の貨幣処理装置において、
前記記憶部は、各操作者について、情報登録の権限に関する権限情報を含む操作者データを格納する操作者データベースを記憶しており、
前記制御部は、前記操作者データベースを参照し、当該貨幣処理装置の操作者が、情報登録の権限を有するときは、前記情報登録画面を表示する一方、有しないときは、前記情報登録画面を表示しない
ことを特徴とする貨幣処理装置。
【請求項１４】
請求項１３記載の貨幣処理装置において、
前記制御部は、当該操作者の権限情報が、登録可能な情報内容の種類を限定しているとき、前記情報登録画面において、前記権限情報において限定された種類の情報内容のみが入力可能なよう、制御する
ことを特徴とする貨幣処理装置。
【請求項１５】
貨幣を処理する貨幣処理装置と、前記貨幣処理装置と通信可能な外部装置とを備えた貨幣処理システムであって、
前記外部装置は、
伝達する情報内容と、当該情報内容を伝達すべき対象者を特定する対象者条件とを含む伝達情報データを入力するための情報入力部と、
前記情報入力部に入力された伝達情報データを、前記貨幣処理装置に送信する送信部とを備え、
前記貨幣処理装置は、
前記外部装置から送信された伝達情報データを受信する受信部と、
前記伝達情報データが登録される情報連携データベースを記憶する記憶部と、
前記受信部が受信した伝達情報データを前記情報連携データベースに登録するとともに、前記情報連携データベースの中から、当該貨幣処理装置の操作者が前記対象者条件を満たす伝達情報データを特定し、この伝達情報データに含まれた情報内容を、前記操作者に対する出力情報として決定する制御部とを備えた
ことを特徴とする貨幣処理システム。
【発明の詳細な説明】
【技術分野】
【０００１】
ここに開示する技術は、金融機関の店舗等において貨幣を処理する貨幣処理装置および貨幣処理システムに関する。
【背景技術】
【０００２】
従来、銀行等の金融機関の店舗では、店舗内の貨幣等を管理するための貨幣処理システムが利用されている。この貨幣処理システムでは、各貨幣処理装置に紙幣や硬貨が入出金されると、その金種、正損、真偽等の識別結果に基づいて、貨幣の金額や枚数等のデータが管理される。
【０００３】
また、金融機関の店舗では、役席、出納係、窓口係、渉外係等の様々な職種の人がいる。例えば「本日現送業務があるため４時までに出納業務を終えること」といった情報は、関係する職種の人全員に適切に伝達する必要がある。このような情報伝達は、通常、職場朝礼や掲示物等によって行われる。
【０００４】
特許文献１には、情報伝達を適切に行うための、文書回覧装置およびネットワークを利用した文書回覧システムが開示されている。
【先行技術文献】
【特許文献】
【０００５】
【特許文献１】特開２００７−２９３６９３号公報
【発明の概要】
【発明が解決しようとする課題】
【０００６】
職場朝礼や掲示物による情報伝達では、全ての情報が伝達される。このため、各人は、自分に関係の無いいわばノイズ情報があるため、自分に本当に必要な情報を聞き逃したり見逃したりするおそれがある。また、職場朝礼の場合、その場にいなければ情報を聞くことができず、また時差出勤者がいる店舗では、そもそも全員がそろうことが難しい。
【０００７】
また、特許文献１の文書回覧システムは、全ての者が文書回覧装置（例えばパソコン）を所有していることが前提であり、文書回覧装置を所有していない者は情報を閲覧することができない。金融機関では、窓口係や渉外係はパソコン等の個人用機器が割り当てられていないことが多く、したがって、特許文献１の文書回覧システムを導入するためには、全員に個人用機器を配布する必要が生じるので、コストの面からみて現実的ではない。
【０００８】
ここに開示する技術は、かかる点に鑑みてなされたものであり、貨幣処理装置において、当該貨幣処理装置を操作する者に対し、その者に伝達すべき情報を適切に伝達可能にすることを目的とする。
【課題を解決するための手段】
【０００９】
ここに開示する技術は、貨幣を処理する貨幣処理装置であって、伝達する情報内容と、当該情報内容を伝達すべき対象者を特定する対象者条件とを含む伝達情報データが登録される情報連携データベースを、記憶する記憶部と、前記情報連携データベースの中から、当該貨幣処理装置の操作者が対象者条件を満たす伝達情報データを特定し、この伝達情報データに含まれた情報内容を、前記操作者に対する出力情報として決定する制御部とを備える。
【００１０】
この構成によると、貨幣処理装置は、記憶部に情報連携データベースを記憶しており、この情報連携データベースには、伝達する情報内容と、情報内容を伝達すべき対象者を特定する対象者条件とを含む伝達情報データが登録される。制御部によって、情報連携データベースの中から、貨幣処理装置の操作者が対象者条件を満たす伝達情報データが特定され、この伝達情報データに含まれた情報内容が、操作者に対する出力情報として決定される。これにより、貨幣処理装置を操作する者に対して、その者に伝達すべき情報を適切に伝達することができる。
【００１１】
そして、上述の貨幣処理装置において、前記情報連携データベースに登録された伝達情報データの少なくとも一部は、対象者条件に、対象者の属性を特定しており、前記制御部は、前記情報連携データベースの中に、当該貨幣処理装置の操作者が対象者条件に特定された属性を有する、伝達情報データがあるとき、この伝達情報データに含まれた情報内容を、前記出力情報として決定する、としてもよい。
【００１２】
これにより、当該貨幣処理装置の操作者が、伝達情報データの対象者条件に特定された属性を有するとき、この伝達情報データに含まれた情報内容が出力情報として決定される。したがって、貨幣処理装置を操作する者の属性に応じて、その者に伝達すべき情報を適切に伝達することができる。
【００１３】
また、上述の貨幣処理装置において、前記情報連携データベースに登録された伝達情報データの少なくとも一部は、対象者条件に、当該貨幣処理装置において実行する処理を特定しており、前記制御部は、前記情報連携データベースの中に、当該貨幣処理装置の操作者が対象者条件に特定された処理を実行する、伝達情報データがあるとき、この伝達情報データに含まれた情報内容を、前記出力情報として決定する、としてもよい。
【００１４】
これにより、当該貨幣処理装置の操作者が、伝達情報データの対象者条件に特定された処理を実行するとき、この伝達情報データに含まれた情報内容が出力情報として決定される。したがって、貨幣処理装置を操作する者が実行する処理に応じて、その者に伝達すべき情報を適切に伝達することができる。
【００１５】
また、対象者条件に特定された前記処理は、入金処理または出金処理のいずれかを含む、としてもよい。
【００１６】
また、上述の貨幣処理装置において、貨幣処理に関する情報を表示する画面を有する表示部を備え、前記制御部は、決定した前記出力情報を、前記表示部の画面に表示する、としてもよい。
【００１７】
これにより、貨幣処理装置の操作者に伝達すべき情報が、表示部の画面に表示される。
【００１８】
そして、前記制御部は、前記出力情報自体を表示する第１表示態様、または、前記出力情報の存在を示すアイコンを表示し、当該アイコンに係る操作を受けて前記出力情報自体を表示する第２表示態様のいずれかを選択し、選択した表示態様に従って前記出力情報の表示を行う、としてもよい。
【００１９】
これにより、貨幣処理装置の操作者に伝達すべき情報が、情報自体を表示する第１表示態様、または、アイコンに係る操作を受けてから情報自体を表示する第２表示態様のいずれかによって、表示される。
【００２０】
さらに、前記情報連携データベースに登録された伝達情報データの少なくとも一部は、情報内容の重要度を示す重要度データを含み、前記制御部は、特定した伝達情報データが前記重要度データを含むとき、前記重要度データが示す重要度に基づいて、前記第１表示態様または前記第２表示態様を選択する、としてもよい。
【００２１】
これにより、情報内容の重要度に基づいて、情報自体を表示する第１表示態様か、または、アイコンに係る操作を受けてから情報自体を表示する第２表示態様かが選択される。
【００２２】
また、前記情報連携データベースに登録された伝達情報データの少なくとも一部は、対象者条件に、情報内容との関連度に応じた対象者の区分が規定されており、前記制御部は、特定した伝達情報データの対象者条件に対象者の区分が規定されているとき、当該貨幣処理装置の操作者が属する区分に基づいて、前記第１表示態様または前記第２表示態様を選択する、としてもよい。
【００２３】
これにより、貨幣処理装置の操作者と情報内容との関連度に基づいて、情報自体を表示する第１表示態様か、または、アイコンに係る操作を受けてから情報自体を表示する第２表示態様かが選択される。
【００２４】
また、前記情報連携データベースに登録された伝達情報データの少なくとも一部は、表示タイミングを所定処理の実行時とする条件データを含み、前記制御部は、特定した伝達情報データが前記条件データを含むとき、前記操作者が前記所定処理を実行するときに、前記出力情報を画面に表示する、としてもよい。
【００２５】
これにより、貨幣処理装置の操作者が所定処理を実行するタイミングで、伝達すべき情報を表示することができる。
【００２６】
また、上述の貨幣処理装置において、貨幣処理に関する情報を表示する画面を有する表示部と、操作者が当該貨幣処理装置の操作を行うための操作部とを備え、前記制御部は、伝達情報データを入力する情報登録画面を前記表示部に表示し、前記操作部を介した操作によって入力された伝達情報データを、前記情報連携データベースに登録する、としてもよい。
【００２７】
これにより、情報を登録する操作者は、貨幣処理装置を操作する者に伝達すべき情報を、貨幣処理装置に直接的に登録することができる。
【００２８】
また、前記制御部は、操作者が所定処理を実行するとき、前記情報登録画面へのショートカットボタンを前記表示部の画面に表示する、としてもよい。
【００２９】
これにより、操作者は、所定処理を実行するとき、簡易に、その所定処理に係る情報を登録することができる。
【００３０】
そして、前記所定処理は、損券の入金処理を含む、としてもよい。
【００３１】
また、前記記憶部は、各操作者について、情報登録の権限に関する権限情報を含む操作者データを格納する操作者データベースを記憶しており、前記制御部は、前記操作者データベースを参照し、当該貨幣処理装置の操作者が、情報登録の権限を有するときは、前記情報登録画面を表示する一方、有しないときは、前記情報登録画面を表示しない、としてもよい。
【００３２】
これにより、情報登録の権限を有する操作者のみが、情報を登録することができる。
【００３３】
また、前記制御部は、当該操作者の権限情報が、登録可能な情報内容の種類を限定しているとき、前記情報登録画面において、前記権限情報において限定された種類の情報内容のみが入力可能なよう、制御する、としてもよい。
【００３４】
これにより、操作者は、登録可能な種類の情報のみを、登録することができる。
【００３５】
また、ここに開示する技術は、貨幣を処理する貨幣処理装置と、前記貨幣処理装置と通信可能な外部装置とを備えた貨幣処理システムであって、前記外部装置は、伝達する情報内容と、当該情報内容を伝達すべき対象者を特定する対象者条件とを含む伝達情報データを入力するための情報入力部と、前記情報入力部に入力された伝達情報データを、前記貨幣処理装置に送信する送信部とを備え、前記貨幣処理装置は、前記外部装置から送信された伝達情報データを受信する受信部と、前記伝達情報データが登録される情報連携データベースを記憶する記憶部と、前記受信部が受信した伝達情報データを前記情報連携データベースに登録するとともに、前記情報連携データベースの中から、当該貨幣処理装置の操作者が前記対象者条件を満たす伝達情報データを特定し、この伝達情報データに含まれた情報内容を、前記操作者に対する出力情報として決定する制御部とを備える。
【００３６】
この構成によると、貨幣処理装置と通信可能な外部装置は、伝達する情報内容と、情報内容を伝達すべき対象者を特定する対象者条件とを含む伝達情報データが入力され、入力された伝達情報データを貨幣処理装置に送信する。貨幣処理装置は、記憶部に情報連携データベースを記憶しており、制御部によって、受信した伝達情報データは情報連携データベースに登録され、情報連携データベースの中から、貨幣処理装置の操作者が対象者条件を満たす伝達情報データが特定され、この伝達情報データに含まれた情報内容が、操作者に対する出力情報として特定される。これにより、貨幣処理装置を操作する者に対して、その者に伝達すべき情報を適切に伝達することができるとともに、貨幣処理装置を介して操作者に伝達する情報を外部装置から送信することができる。
【発明の効果】
【００３７】
本開示によると、情報連携データベースの中から、貨幣処理装置の操作者が対象者条件を満たす伝達情報データが特定され、この伝達情報データに含まれた情報内容が、操作者に対する出力情報として特定される。これにより、貨幣処理装置を操作する者に対して、その者に伝達すべき情報を適切に伝達することができる。
【図面の簡単な説明】
【００３８】
【図１】実施形態に係る貨幣処理システムの全体構成図
【図２】貨幣処理装置を介した情報伝達のイメージ図
【図３】実施形態に係る貨幣処理装置の機能構成を示すブロック図
【図４】情報登録処理の一例を示すフローチャート
【図５】（ａ），（ｂ）は情報登録処理における画面例
【図６】情報閲覧処理の一例を示すフローチャート
【図７】（ａ）（ｂ）は情報閲覧処理における画面例
【発明を実施するための形態】
【００３９】
以下、実施形態について、図面に基づいて詳細に説明する。
【００４０】
以下の説明では、貨幣処理システムの一例として、オープン出納システムを例にとって説明を行う。ただし、以下の説明は、例示である。このオープン出納システムは、例えば銀行等の金融機関に設置され、入金処理及び出金処理を含む各種の処理を実行する装置である。なお、ここに開示する貨幣処理システムは、金融機関に設置する以外の用途にも用いることが可能である。
【００４１】
＜貨幣処理システムの全体構成＞
図１は実施形態に係る貨幣処理システムの全体構成を示す図である。図１の構成では、金融機関の後方スペースに設置された貨幣処理装置１と、窓口の近傍に設置されたオートキャッシャー２とが、金融機関内のネットワークに接続されている。オートキャッシャー２には窓口担当者が操作を行うための操作端末３が設けられている。ネットワークには金融機関内の管理コンピュータ５が接続されており、この管理コンピュータ５が貨幣処理装置１やオートキャッシャー２等による貨幣処理全般を管理している。管理コンピュータ５は、例えば管理責任者が有するタブレット６Ａやスマートフォン６Ｂ等の携帯端末と通信可能になっている。
【００４２】
貨幣処理装置１はここでは、左右に並ぶよう配置された紙幣処理機１０および硬貨処理機１１０を備える。紙幣処理機１０は、バラ紙幣の入出金処理を実行可能であり、また、帯封紙幣の作成や帯封紙幣の出金処理を実行可能である。帯封紙幣は、所定枚数（例えば１００枚）のバラ紙幣から作成される。硬貨処理機１１０は、バラ硬貨の入出金処理を実行可能であり、また、包装硬貨の作成や包装硬貨の出金処理を実行可能である。包装硬貨は、所定枚数（例えば５０枚）のバラ硬貨に紙やフィルム等の包装媒体を巻くことによって作成される。
【００４３】
操作表示部３０２および印字部３０４が、ここでは硬貨処理機１１０の筐体上部に設けられている。操作表示部３０２は例えばタッチパネル等から構成されており、貨幣処理装置１における紙幣や硬貨の処理状況や、貨幣処理装置１に収納されている紙幣や硬貨の在高等の情報を表示する。また、操作者は操作表示部３０２を介して、貨幣処理装置１に対して様々な操作を行うことができる。印字部３０４は例えばプリンタ等から構成されており、貨幣処理装置１における紙幣や硬貨の処理状況や、貨幣処理装置１に収納されている紙幣や硬貨の在高等の情報をレシート等に印刷する。また、図示は省略するが、操作者のＩＤカードを読み取るためのカードリーダが設けられている。カードリーダは、操作者を特定する操作者情報を受ける入力部の一例である。
【００４４】
＜情報伝達のイメージ＞
貨幣処理装置１は、窓口係や渉外係等の金融機関の行員等により利用される。例えば、窓口係は、始業時に貨幣処理装置１から補充用貨幣を出金してオートキャッシャー２に補充し、終業後はオートキャッシャー２から回収した回収貨幣を貨幣処理装置１に入金する。また、窓口係は業務中も必要に応じて貨幣処理装置１に対して入出金処理を行う。窓口係以外の行員は、例えばＡＴＭコーナーに設置されたＡＴＭや両替機、その他金融機関に設置された機器について、貨幣処理装置１から貨幣を出金して補充したり、回収した貨幣を貨幣処理装置１に入金したりする。また、渉外係は、客に渡すお金を貨幣処理装置１から出金したり、客から預かったお金を貨幣処理装置１に入金したりする。
【００４５】
図２は本実施形態における、貨幣処理装置１を介した情報伝達のイメージ図である。上で説明したとおり、金融機関の行員等は、日常的に貨幣処理装置１を操作する。そこで本実施形態では、貨幣処理装置１について、他の操作者に伝達する情報を登録できる機能と、操作者が自分宛に登録された情報を閲覧できる機能とを設ける。すなわち図２に示すように、情報の発信者である操作者Ａ１は、伝達する情報内容とこの情報内容を伝達すべき対象者を特定する対象者条件とを含む伝達情報データを、例えば操作表示部３０２を介して、貨幣処理装置１に登録する。対象者条件を満たす受信者である操作者Ｂ１，Ｂ２は、入出金処理等のために貨幣処理装置１を操作したとき、操作者Ａ１によって登録された情報内容を、例えば操作表示部３０２を介して閲覧することができる。これにより、職場朝礼や掲示物等による情報伝達を行わなくても、金融機関の各行員に必要な情報を確実に伝達することができる。
【００４６】
＜貨幣処理装置の機能構成＞
図３は貨幣処理装置１の機能構成の概略を示すブロック図である。図３では本実施形態に関わる構成要素を主に示しており、その他の構成要素は適宜省略している。図３に示すように、貨幣処理装置１には、各構成要素の制御を行う制御部３００が設けられている。制御部３００は、紙幣処理機１０および硬貨処理機１１０の各構成要素に指令信号を送ることにより、その動作を制御する。また、制御部３００には、操作表示部３０２、入力部３０３，印字部３０４、通信インターフェース部３０６、および、記憶部３１０がそれぞれ接続されている。なお、操作表示部３０２はここではタッチパネル等によって構成されているが、貨幣処理装置１の操作を行うための操作部と、画面等を有する表示部とが分離して構成されていてもよい。入力部３０３は操作者を特定する操作者情報を受けるものであり、ここではＩＤカードから操作者ＩＤを読み取るためのカードリーダである。なお、入力部３０３はカードリーダ以外に、操作者の指紋や顔画像を取得して個人認証を行う手段であってもよいし、例えばログインＩＤを手入力する構成の場合には、操作部が入力部３０３に相当する。記憶部３１０は、貨幣処理装置１における処理履歴や、貨幣処理装置１に収納されている紙幣や硬貨の在高等の情報を記憶する。ここでは、記憶部３１０は、後述する情報連携データベース３１１および操作者データベース３１２を格納している。また、制御部３００は通信インターフェース部３０６を介して金融機関内のネットワークに接続されており、操作端末３や管理コンピュータ５等の外部装置に対して様々な信号の送受信を行うことができる。
【００４７】
制御部３００の機能の一部または全部は、ハードウェアまたはソフトウェアによって実現される。例えば、貨幣処理装置１内に設けられた制御基板上に構成された回路や、記録されたプログラムを実行するマイクロコンピュータ等によって、制御部３００は実現可能である。また、制御部３００は、貨幣処理装置１内の他の制御部と別個に構成されてもよいし、一体に構成されてもかまわない。
【００４８】
本開示では、制御部３００は、貨幣処理装置１の外部から例えば操作表示部３０２を介して入力された伝達情報データを、情報連携データベース３１１に登録する情報登録処理を行う。この伝達情報データは、伝達する情報内容（メッセージ）と、伝達すべき対象者を特定する対象者条件とを少なくとも含む。ここでの情報内容は、例えば、業務予定や事象発生等の情報、補足説明などを記すメモ、窓口係等に対する指示や注意などを含む。制御部３００は、情報連携データベース３１１に登録された伝達情報データの中から、当該貨幣処理装置１を操作した操作者が対象者条件を満たす伝達情報データを特定し、この伝達情報データに含まれた情報内容を、当該操作者に対する出力情報として決定する。そして、制御部３００は、決定した出力情報を貨幣処理装置１の外部に出力する。例えば制御部３００は、決定した出力情報を操作表示部３０２に表示する。
【００４９】
情報連携データベース３１１に登録される伝達情報データは、例えば次のようなデータ項目を含む。
１）番号
２）登録者
３）登録日時
４）情報内容
４−１）本文
４−２）添付データ
５）閲覧対象者
６）重要度
７）表示期間
８）表示タイミング
９）表示態様
１０）表示消去タイミング
１１）登録消去タイミング
１２）回答要否
１３）ショートカット設定
【００５０】
１）の「番号」は、各伝達情報データを一意に特定するためのものであり、例えば登録順に通し番号が自動的に付与される。２）の「登録者」は、伝達情報データを登録した操作者を特定するためのものであり、例えば情報登録処理の開始時に入力部３０３の一例であるカードリーダによって読み取ったログインＩＤが格納される。３）の「登録日時」は、伝達情報データを登録した日時を示すものであり、貨幣処理装置１によって自動的に取得される。
【００５１】
４）の「情報内容」は、伝達する情報内容（メッセージ）であり、登録者が入力する。「本文」は登録者が個別に入力してもよいし、あるいは、予め定型フォーマットを準備しておいて登録者が適宜選択修正するようにしてもよい。「添付データ」は本文に添付する画像データ等であり、例えば損券の画像データ等である。
【００５２】
５）の「閲覧対象者」は、情報内容を伝達すべき対象者を特定する対象者条件を示すものであり、原則として登録者が設定する。設定の態様としては例えば、全員を設定する、特定の個人（１人または複数）を設定する（ログインＩＤや氏名で特定する）、担当職務を設定する（例えば、窓口係）、職制レベルを設定する（例えば、チーフ以上）、などがある。すなわち、対象者条件として、対象者の属性を特定してもよい。属性としては、ログインＩＤ、氏名、担当職務、職制レベルの他にも、所属グループ、性別、年齢、勤続年数などがある。また、例えば「入金処理」を実行する者、「束紙幣の出金処理」を実行する者等のように、貨幣処理装置１において実行する処理を、対象者条件として特定してもよい。ここでの処理は、例えば、入金処理、出金処理などである。また、この処理の条件として、入金または出金を行う金額の範囲が付加されていてもよい。例えば、「１０万円以上の出金処理」を実行する者、というように、対象者条件を設定してもよい。
【００５３】
６）の「重要度」は、情報内容の重要度を示すデータであり、原則として登録者が設定する。例えば、通常／重要／最重要などと予め段階を定めておけばよい。７）の「表示期間」は、原則として登録者が設定する。
【００５４】
８）の「表示タイミング」は、例えば、初回ログイン時／ログイン時は毎回／所定処理が実行されるまで毎回、などと設定すればよい。また、時間帯と組み合わせて、例えば、１５時以降の初回ログイン時、のように設定してもよい。９）の「表示態様」は、例えば、ポップアップ表示、アイコン表示（情報有りアイコンをまず表示し、アイコンが押下されると情報表示）、などと設定すればよい。１０）の「表示消去タイミング」は、例えば、「確認」ボタンの押下／他のいずれかの操作ボタンの押下／情報の表示後に一定時間が経過、などと設定すればよい。
【００５５】
１１）の「登録消去タイミング」は、例えば、対象者全員が閲覧終了／指定時刻／登録者による消去処理、などと設定すればよい。１２）の「回答要否」は、例えば、回答不要／了解のみ入力／ＯＫまたはＮＧを入力／、などと設定すればよい。１３）の「ショートカット設定」は、情報内容の表示画面に所定処理へのショートカットボタンを表示する設定を可能にするものである。
【００５６】
なお、データ項目６）〜１３）はオプションとしてもよい。情報連携データベース３１１には、ここで挙げたデータ項目の一部を登録するようにしてもよいし、ここで挙げたデータ項目以外のデータ項目を登録するようにしてもかまわない。
【００５７】
また、操作者データベース３１２には、操作者ごとに、例えば次のようなデータ項目を有する操作者データが格納される。データ項目５），６）は情報登録の権限に関する権限情報である。
１）ログインＩＤ
２）氏名
３）担当職務（窓口係、渉外係、等）
４）職制レベル（パート、社員、チーフ、役席、等）
５）情報登録の権限  あり／なし
６）５）で「あり」の場合、登録可能な情報内容の種類（全て、トラブル関係のみ、損券関係のみ、など））
【００５８】
＜貨幣処理＞
入金処理や出金処理等の貨幣処理を行う場合、例えばカードリーダにＩＤカードを読み取らせてログインし、操作表示部３０２に表示される内容に従って操作すると、貨幣処理が実行される。このとき、貨幣処理に関する情報が操作表示部３０２に表示され、必要に応じて処理結果がレシートとして印字部３０４によって印字される。
【００５９】
＜情報登録処理＞
図４は情報登録処理の操作手順を示すフローチャートであり、図５（ａ），（ｂ）は情報登録処理の際に操作表示部３０２に表示される画面例である。処理の開始時には、操作表示部３０２には、例えば貨幣の在高を表示する待機画面が表示されている（Ｓ１０１）。操作者は、入力部３０３を介して自分の操作者情報を入力し、ログインを行う（Ｓ１０２）。例えば、自分のＩＤカードをカードリーダに読み込ませる。制御部３００は、操作表示部３０２にメニュー画面を表示させる（Ｓ１０３）。
【００６０】
このとき、制御部３００は、ログインした操作者が、操作者データベース３０２において「情報登録の権限あり」と設定されている場合は、図５（ａ）のようなメニュー画面を操作表示部３０２に表示する。図５（ａ）のメニュー画面では、「情報連携登録」アイコンＡ１が表示されており、このアイコンＡ１を押下すると、図５（ｂ）のような、伝達情報データを入力する情報登録画面に遷移する。一方、ログインした操作者が、操作者データベース３０２において「情報登録の権限なし」と設定されている場合は、メニュー画面には「情報連携登録」アイコンＡ１は表示されず、情報登録処理を行うことはできない。すなわち、制御部３００は、貨幣処理装置１の操作者が、情報登録の権限を有するときは、情報登録画面を表示する一方、有しないときは、情報登録画面を表示しない。
【００６１】
いま、ログインした操作者は操作者データベース３０２において「情報登録の権限あり」と設定されており、図５（ａ）のようなメニュー画面が操作表示部３０２に表示されたものとする。操作者は、メニュー画面においてメニューを選択する（Ｓ１０４）。ここで、「情報連携登録」アイコンＡ１を押下すると（Ｓ１０５でＹＥＳ）、図５（ｂ）のような情報登録画面に遷移する。一方、他のアイコンを押下すると（Ｓ１０５でＮＯ）、それぞれの処理に移行する（Ｓ１０９）。
【００６２】
図５（ｂ）のような情報登録画面に遷移すると、操作者は情報登録処理を実行する（Ｓ１０６）。操作者は、必須項目として、閲覧対象者および情報内容を入力する。図５（ｂ）の例では、閲覧対象者：全員、情報内容として「出金トラブル発生時のお願い」が入力されている。また、図５（ｂ）の情報登録画面では、情報内容および閲覧対象者の他に、表示タイミング、重要度、表示消去タイミング、回答要否、および、表示期間が入力できるようになっている。図５（ｂ）の例では、表示タイミング：初回ログイン時、重要度：重要、表示消去タイミング：確認ボタン押下、回答要否：無し、表示期間：２０１６／０９／１５〜２０１６／０９／３０、と入力されている。なお、情報登録画面において、各項目では、選択肢がプルダウン表示されるようになっていてもよい。
【００６３】
操作者は、登録したい各情報について、情報登録処理を繰り返し実行する。全ての情報について情報登録処理が終了すると（Ｓ１０７でＮＯ）、処理を終了する（Ｓ１０８でＹＥＳ）。
【００６４】
なお、情報登録画面において、情報内容を入力する際に、定型フォーマットが呼び出せるようになっていてもよい。登録者は、その定型フォーマットを必要に応じて修正すればよい。また、登録者が所定の定型フォーマットを選択した場合には、その定型フォーマットに対応した閲覧対象者が自動的に設定されるようにしてもよい。登録者は、自動的に設定された閲覧対象者を確認し、必要に応じて修正すればよい。また、登録者が所定の定型フォーマットを選択した場合には、その定型フォーマットに対応した重要度、表示タイミング等の条件データが自動的に設定されるようにしてもよい。登録者は、自動的に設定された条件データを確認し、必要に応じて修正すればよい。
【００６５】
また、伝達情報データの入力方法としては、操作表示部３０２を介して行う方法の他に、音声入力、ＵＳＢメモリ等の記憶媒体を介した入力、通信を介した入力等を用いてもよい。
【００６６】
＜情報閲覧処理＞
図６は情報閲覧処理の操作手順を示すフローチャートであり、図７（ａ），（ｂ）は情報閲覧処理の際に操作表示部３０２に表示される画面例である。ここでは、制御部３００は、出力情報の表示態様として、ポップアップ表示とアイコン表示とを有するものとする。第１表示態様の一例であるポップアップ表示は、図７（ａ）に示すように、特定された出力情報自体を表示する。第２表示態様の一例であるアイコン表示は、図７（ｂ）に示すように、出力情報の存在を示すアイコン（図７（ｂ）では「伝達情報」アイコンＢ１）を表示し、このアイコンに係る操作を受けて、特定された出力情報自体を表示する。制御部３００は、ポップアップ表示とアイコン表示のいずれかを選択し、出力情報の表示を行う。
【００６７】
図６において、処理の開始時には、操作表示部３０２には例えば貨幣の在高を表示する待機画面が表示されている（Ｓ２０１）。操作者は、貨幣処理装置１に対して入力処理等の処理を行うとき、入力部３０３を介して自分の操作者情報を入力し、ログインを行う（Ｓ２０２）。例えば、自分のＩＤカードをカードリーダに読み込ませる。
【００６８】
制御部３００は、情報連携データベース３１１を参照して、ログインした操作者が対象者条件を満たす伝達情報データが登録されているか否かをチェックする（Ｓ２０３）。ここでは、制御部３００は、情報連携データベース３１１の中に、ログインした操作者が「閲覧対象者」に特定された対象者の属性を有する、伝達情報データがあるときは（Ｓ２０４でＮＯ）、その伝達情報データに含まれた情報内容を、ログインした操作者に対する出力情報として決定し、これを操作表示部３０２に表示する（Ｓ２０５〜Ｓ２１１）。これにより、登録者が所定の属性を有する操作者に伝達するために登録した情報内容を、伝達すべき操作者に確実に伝達することができる。
【００６９】
ここで、制御部３００は、情報内容が重要か否かによって、その表示態様を切り替えるものとする。具体的には例えば、伝達情報データの重要度データが「重要」あるいは「最重要」であるときは（Ｓ２０５でＹＥＳ）、図７（ａ）に示すようなポップアップ表示を行う（Ｓ２０６）。そして、表示消去条件が満たされると（Ｓ２０７でＹＥＳ）、ポップアップ表示を消去する（Ｓ２０８）。例えば、図７（ａ）の画面で「確認」ボタンが押下されると、ポップアップ表示を消去する。一方、伝達情報データの重要度データが「通常」であるときは（Ｓ２０５でＮＯ）、図７（ｂ）に示すようなアイコン表示を行う（Ｓ２１０）。図７（ｂ）では、メニュー画面に「伝達情報」アイコンＢ１が表示されている。「伝達情報」アイコンＢ１が押下されると、処理に割り込みがかかり（Ｓ２１１でＹＥＳ）、その情報内容がポップアップ表示される。このような処理が、ログインした操作者が対象者条件を満たす伝達情報データについてそれぞれ行われる（Ｓ２０９）。
【００７０】
その後、ログインした操作者は、操作表示部３０２に表示されたメニュー画面から（Ｓ２１２）、実行しようとする処理のメニューを選択して（Ｓ２１３）、その処理を実行する（Ｓ２１４）。実行しようとする処理が全て終了すると、処理を終了する（Ｓ２１５）。
【００７１】
なお、Ｓ２１０において「伝達情報」アイコンＢ１が表示され、当該アイコンが押下されないまま他の処理が実行される場合、新たな処理画面に「伝達情報」アイコンＢ１が表示されたままとなる。そして、「伝達情報」アイコンＢ１が押下されると、処理に割り込みがかかり、登録された情報内容がポップアップ表示される。
【００７２】
また、制御部３００は、情報連携データベース３１１の中に、ログインした操作者が「閲覧対象者」に特定された処理を実行する、伝達情報データがあるときは、この伝達情報データに含まれた情報内容を、ログインした操作者に対する出力情報として決定し、これを操作表示部３０２に表示する、としてもよい。これにより、登録者が所定の処理を実行する操作者に伝達するために登録した情報内容を、伝達すべき操作者に確実に伝達することができる。また、このときの出力情報の表示は、操作者が当該処理を実行する直前に行えばよい。
【００７３】
また、情報連携データベース３１１のデータ項目８）に示したように、「表示タイミング」を「所定処理の実行時」とする条件データを含む伝達情報データが登録されており、ログインした操作者がこの伝達情報データの「閲覧対象者」に該当する場合は、制御部３００は、ログインした操作者が当該所定処理を実行するときに、この伝達情報データに含まれた情報内容を操作表示部３０２に表示すればよい。これにより、貨幣処理装置１において所定処理を実行するタイミングで、情報を操作者に伝達することができる。例えば、出金トラブルに関する情報を、出金処理を実行するタイミングで、操作者に伝達することができる。
【００７４】
ところで、上述した情報閲覧処理を行うのは、必ずしも情報閲覧処理を目的として貨幣処理装置にログインする操作者に限らない。むしろ、他の処理（入金処理、出金処理等の貨幣処理）を行うためにログインした際に、自分宛ての情報があった場合に閲覧することが多い。その結果、情報閲覧処理を意識していない操作者に対しても必要な情報を伝えることができる。
【００７５】
以上のように本実施形態によると、貨幣処理装置１は、記憶部３１０に情報連携データベース３１１を記憶しており、この情報連携データベース３１１には、伝達する情報内容と、情報内容を伝達すべき対象者を特定する対象者条件とを含む伝達情報データが登録される。制御部３００は、情報連携データベース３１１の中から、貨幣処理装置１の操作者が対象者条件を満たす伝達情報データを特定し、この伝達情報データに含まれた情報内容を、操作者に対する出力情報として決定する。これにより、貨幣処理装置１を操作する者に対して、その者に伝達すべき情報を適切に伝達することができる。
【００７６】
＜伝達情報の他の例＞
上の実施形態では、装置トラブルに関する情報を伝達する例を示したが、貨幣処理装置１を介して伝達する情報はこれに限られるものではない。例えば、次のような情報を伝達してもよい。
ａ）文例「本日は現送日です。午後４時に準備するのでそれまでに出納業務を終えて下さい。」
出納業務における曜日別の業務連絡（例えば、現送、現受など）に利用する。閲覧対象者は、出納業務に関わる行員、すなわち、出納係および窓口係とする。
ｂ）文例「本日は全精査日です。午後４時に準備するのでそれまでに出納業務を終えて下さい。」
出納業務における突発的な業務連絡（例えば、全精査日など）に利用する。閲覧対象者は、貨幣処理装置１に関わる行員、すなわち、出納係、窓口係および渉外係とする。
ｃ）文例「この損券は、記番号がにじんでおり確認しにくいです。」
出納業務における承認作業時の情報連携に利用する。例えば、図１では図示していないが、貨幣処理装置１に損券処理機が含まれているものとする。紙幣処理機１０において入金リジェクト（損券）が発生したとき、操作者はこの損券を損券処理機に投入し、入金処理において、この損券の金額を損券処理機に手入力する。この処理では、後で承認者による承認作業が必要になる。そこで、損券を入力した操作者は、承認者に向けて上の文例のような伝達情報を登録する。このとき、情報内容の添付データとして、入金処理時に損券処理機によって取得された損券の画像データを添付すればよい。閲覧対象者は、出納業務に関する権限者、例えば役席とする。
ｄ）その他、貨幣処理装置１でジャムが起こった場合に、紙幣不足の可能性があることを他の行員に伝達する、としてもよいし、あるいは、行員全員にパスワードの変更を促すメッセージを伝達してもよい。
【００７７】
＜その他の処理＞
（その１）
上の実施形態では、ポップアップ表示とアイコン表示の選択を情報内容の重要度に基づいて行うものとしたが、これに限られるものではない。例えば、情報連携データベース３１１のデータ項目９）に示したように、伝達情報データに「表示態様」が設定されている場合は、その「表示態様」の設定に従って、ポップアップ表示またはアイコン表示を選択すればよい。
【００７８】
また、同じ情報内容について、対象者に応じて、表示態様を切り替えてもよい。例えば、伝達情報データの「閲覧対象者」において、情報内容を伝達すべき対象者の属性を設定するとともに、情報内容との関連度に応じた対象者の区分を規定する。そして、制御部３００は、貨幣処理装置１の操作者が属する区分に基づいて、ポップアップ表示かアイコン表示かを選択すればよい。具体的には例えば、出金トラブルに関する伝達情報データの「閲覧対象者」において、対象者は全員とし、対象者の区分として「出納係」（関連度高い）「その他」（関連度低い）を規定する。そして、制御部３００は、出金トラブルに関する情報を表示する場合に、出金処理をほぼ確実に行う出納係に対してはポップアップ表示とし、その他の人に対してはアイコン表示とすればよい。さらには、その他の人であっても、出金処理を実行するときはポップアップ表示する、と制御することも可能である。
【００７９】
（その２）
上の＜伝達情報の他の例＞のｃ）のように、貨幣処理装置１で所定の処理を実行中に、情報登録を行いたい場合がある。このような場合において利便性を高めるために、当該処理の画面に、伝達情報データを入力する情報登録画面へのショートカットボタンを表示してもよい。例えば、＜伝達情報の他の例＞のｃ）の場合には、制御部３００は、損券の入力処理の画面に、情報登録画面へのショートカットボタンを表示すればよい。
【００８０】
（その３）
情報連携データベース３１１に、操作者が対象者条件を満たす伝達情報データが、複数登録されている場合がある。この場合には例えば、制御部３００は、重要度が高い情報を優先して表示してもよいし、登録日時が早い順に情報を表示してもよい。あるいは、制御部３００は、当該操作者に伝達される情報のリストを操作表示部３０２に表示し、表示する情報内容を操作者が選択するようにしてもよい。
【００８１】
（その４）
操作者データベース３１２のデータ項目６）に示したように、操作者によって、登録可能な情報内容の種類を限定してもよい。制御部３００は、情報登録画面において、限定された種類の情報内容のみが入力可能なよう、制御すればよい。例えば制御部３００は、操作者データベース３１２のデータ項目６）に応じて、情報登録画面において呼び出せる情報内容の定型テンプレートに制限をかければよい。
【００８２】
ここで、金融機関の行員として、出納係（チーフ、担当者）、窓口係（社員、パート）、渉外係および役席がいるものとする。例えば、役席はいかなる情報でも登録可能とし、出納係は出納業務に関する情報のみを登録可能とする。窓口係のうち社員は、損券に関する情報のみを登録可能とし、窓口係のパートは情報登録不可とする。また例えば、上述したような損券の入力処理における情報登録は、出納係と窓口係の社員のみが行える、としてもよい。制御部３００は、出納係と窓口係が貨幣処理装置１にログインしたときにのみ、損券の入力処理において、情報登録画面へのショートカットボタンを操作表示部３０２の画面に表示するようにすればよい。
【００８３】
また、ある特定の者は、閲覧対象者に指定されていなくても情報を閲覧できるようにしてもよい。例えば、役席と出納係のチーフは、登録された全ての情報を閲覧できるようにする。制御部３００は例えば、役席と出納係のチーフが貨幣処理装置１にログインしたとき、ログインした者が対象者条件を満たす情報とその他の情報とを区別した全ての伝達情報のリストを、操作表示部３０２に表示するようにすればよい。
【００８４】
（その５）
操作者が情報を閲覧したとき、その情報に基づいて実行すべき処理をその閲覧画面から直接実行できるようにしてもよい。例えば、情報連携データベース３１１のデータ項目１３）に示したように、伝達情報データについて「ショートカット設定」がなされているときは、制御部３００はこの「ショートカット設定」に従って、情報内容の表示画面に所定処理へのショートカットボタンを表示する。例えば、トラブル発生に関するメッセージを表示する場合に、トラブル対応マニュアルへのショートカットボタンを表示したり、パスワード変更を要請するメッセージを表示する場合に、パスワード変更画面へのショートカットボタンを表示したりすればよい。
【００８５】
（その６）
伝達情報の登録者が、登録した伝達情報の閲覧状況を確認できるようにしてもよい。すなわち、制御部３００は、連携情報データベース３１１に登録された伝達情報の閲覧状況のログをとり、記憶部３１０に保存する。登録者は、貨幣処理装置１にログインしてこのログにアクセスすることにより、閲覧状況を確認することができる。また、制御部３００がこのログから未閲覧者のリストを作成し、操作表示部３０２に表示したり印字部３０４から出力したりしてもよい。また、制御部３００は、連携情報データベース３１１のデータ項目１２）に示したように、「回答要」とされた伝達情報データについて、その回答を集計した結果を、操作表示部３０２に表示したり印字部３０４から出力したりしてもよい。
【００８６】
また、制御部３００は、全ての閲覧対象者が閲覧を終了すると、その伝達情報データの登録者にその旨を通知してもよい。この通知方法としては、例えば、登録者が次に貨幣処理装置１にログインしたときに操作表示部３０２に表示してもよいし、あるいは、登録者が所持する個人用機器（パソコン、タブレット端末、等）に通信してもよい。
【００８７】
（その７）
情報閲覧処理において、画面に表示された情報内容を、印字部３０４から出力できるようにしてもよい。
【００８８】
（その８）
情報登録処理において、登録者は、自分宛の情報を登録してもよい。例えば、所定日にログインしたとき表示する、所定の処理を実行する際に表示する、とすればよい。これにより、情報登録機能を覚え書きとして利用することができる。
【００８９】
＜変形例＞
（その１）
貨幣処理装置１に登録された情報は、金融機関内のネットワークに接続されたパソコンやタブレット等の個人用機器から、取得できるようにしてもよい。個人用機器を持つ者は、貨幣処理装置１を操作したときに情報を閲覧できるし、個人用機器を介して情報を閲覧することもできる。閲覧状況のログでは、貨幣処理装置１と個人用機器のいずれか一方を介して情報を閲覧すれば、閲覧済みとすればよい。また、図１の構成において、オートキャッシャー２の操作端末３に情報を表示してもよい。
【００９０】
（その２）
情報登録処理は、貨幣処理装置１と通信可能な外部装置を介して行えるようにしてもよい。例えば、図１の貨幣処理システムにおいて、外部装置の一例であるタブレット６Ａやスマートフォン６Ｂは、伝達情報データを入力するための情報入力部と、情報入力部に入力された伝達情報データを貨幣処理装置１に送信する送信部とを備えている。金融機関の管理責任者は、タブレット６Ａやスマートフォン６Ｂを操作して、情報登録処理を行う。タブレット６Ａやスマートフォン６Ｂに入力された伝達情報データは、ネットワークを介して貨幣処理装置１に送信される。貨幣処理装置１は、受信部としての通信インターフェース部３０６を介して伝達情報データを受信し、制御部３００は、受信した伝達情報データを情報連携データベース３１１に登録する。
【００９１】
また、登録した伝達情報データの閲覧状況も、貨幣処理装置１と通信可能な外部装置、例えばタブレット６Ａやスマートフォン６Ｂを介して、確認できるようにしてもよい。
【００９２】
＜他の実施形態＞
上述した実施形態では、貨幣処理システムの一例として、オープン出納システムを例にとって説明したが、これに限られるものではない。また、貨幣処理システムが備える貨幣処理装置の構成も、ここで示したものに限られるものではない。
【００９３】
また、上述した実施形態では、貨幣処理装置は銀行等の金融機関に設置されるものとしたが、これに限られるものではない。
【００９４】
例えば、デパートやショッピングモール等の商業施設に設置された貨幣処理装置において、上述したような情報伝達を行ってもよい。商業施設では、貨幣処理装置（出納機）がバックヤードに設置され、施設内の売り場担当者が、開店前に釣銭準備金を貨幣処理装置から出金し、また閉店後に売上金を貨幣処理装置に入金する。また、営業中も適宜貨幣処理装置に対して入出金処理を行う。また、外交員が、客に渡すお金を貨幣処理装置から出金したり、客から預かったお金を貨幣処理装置に入金したりする。このような場合にも、上述した実施形態と同様に貨幣処理装置を介した情報伝達を行うことによって、忙しい売り場担当者や移動の多い外交員に対して、情報を確実に伝達することができる。
【００９５】
あるいは、自動販売機の管理会社に設置された貨幣処理装置において、上述したような情報伝達を行ってもよい。自動販売機の管理会社では、ルートマンが、出発時に釣銭準備金を貨幣処理装置から出金したり、回収後に売上金を貨幣処理装置に入金したりする。このような場合にも、上述した実施形態と同様に貨幣処理装置を介した情報伝達を行うことによって、移動の激しいルートマンに対して、情報を確実に伝達することができる。
【符号の説明】
【００９６】
１  貨幣処理装置
６Ａ  タブレット（外部装置）
６Ｂ  スマートフォン（外部装置）
３００  制御部
３０２  操作表示部
３０３  入力部
３０６  通信インターフェース部
３１０  記憶部
３１１  情報連携データベース
３１２  操作者データベース
【図１】
2018073075.tif 000003
【図２】
2018073075.tif 000004
【図３】
2018073075.tif 000005
【図４】
2018073075.tif 000006
【図５】
2018073075.tif 000007
【図６】
2018073075.tif 000008
【図７】
2018073075.tif 000009